(57)【特許請求の範囲】
【請求項１】
カードが挿入されたり排出される挿入排出部と、前記挿入排出部から挿入されたカードを搬送する搬送部と、前記搬送部によって搬送されたカードに記憶済みの情報を読み取る情報読み取り部と、前記搬送部及び前記情報読み取り部を制御する一方、前記情報読み取り部によって情報の読み取りが完了したカードを前記搬送部によって搬送して前記挿入排出部から一部を露出させ、前記露出されたカードが所定時間経過後も持ち去られていないことが検出された場合、前記搬送部によって前記持ち去られなかった取り忘れカードを内部に搬送して再度取り込みを行わせる制御部と、を備えるカード読み取り装置と、
複数のカードを各々収容可能な複数のスロットを有し、前記取り忘れカードを前記複数のスロットのうちのいずれか特定のスロットに収容可能なカード回収装置と、を備え、
前記制御部は、
前記カード回収装置に前記取り忘れカードを収容する際に、
前記情報読み取り部によって前記取り忘れカードのカード情報を読み取り、
前記カード情報に基づいて保護用チェックコードを生成し、
前記取り忘れカードに関するカード情報を記憶しない一方で、前記特定のスロットに対応するスロット番号と前記保護用チェックコードとの対応関係に関する情報を対応関係管理部に記憶し、
ホストから前記カード回収装置に収容されている前記取り忘れカードの返却指示があった際に、
前記取り忘れカードが収納されている前記カード回収装置のスロット番号を前記対応関係管理部に記憶されている前記対応関係に関する情報から取得し、
取得した前記スロット番号に該当する前記特定のスロットに収容されている前記取り忘れカードを前記カード読み取り装置へ戻すように前記カード回収装置に対して指示し、
前記情報読み取り部によって、前記カード回収装置から前記カード読み取り装置へ戻された前記取り忘れカードのカード情報を読み取り、
読み取られた前記取り忘れカードのカード情報に基づいて確認用チェックコードを生成し、
前記確認用チェックコードが前記保護用チェックコードと一致するか否かをチェックし、
前記確認用チェックコードが前記保護用チェックコードと一致すると判定された場合、前記搬送部によって前記特定のスロットに収容済みの前記収容済みカードを搬送させて前記挿入排出部から排出させ、
前記対応関係管理部は、前記カード回収装置に設けられている
ことを特徴とするカード処理装置。
【請求項２】
前記対応関係管理部は、
前記取り忘れカードに関するカード情報を管理する代わりに、前記スロット番号と前記保護用チェックコードとの対応関係に関する情報を管理していることを特徴とする請求項１に記載のカード処理装置。
【請求項３】
前記情報読み取り部は、前記カードの磁気ストライプとの間で少なくとも情報の読み取りを行う磁気ヘッドであり、
前記制御部は、
前記カード回収装置に前記取り忘れカードを収容する際に、前記磁気ヘッドによって前記取り忘れカードの磁気ストライプからカード情報の一部としてカード番号を読み取り、前記カード番号に基づいてチェックコードを生成する
ことを特徴とする請求項１に記載のカード処理装置。
【請求項４】
複数のカードを各々収容可能な複数のスロットを有し、取り忘れカードを前記複数のスロットのうちのいずれか特定のスロットに収容可能なカード回収装置との組み合わせによりカード処理装置を構成するカード読み取り装置において、
カードが挿入されたり排出される挿入排出部と、
前記挿入排出部から挿入されたカードを搬送する搬送部と、
前記搬送部によって搬送されたカードに記憶済みの情報を読み取る情報読み取り部と、
前記搬送部及び前記情報読み取り部を制御する一方、前記情報読み取り部によって情報の読み取りが完了したカードを前記搬送部によって搬送して前記挿入排出部から一部を露出させ、前記露出されたカードが所定時間経過後も持ち去られていないことが検出された場合、前記搬送部によって前記持ち去られなかった取り忘れカードを内部に搬送して再度取り込みを行わせる制御部と、を備え、
前記制御部は、
前記カード回収装置に前記取り忘れカードを収容する際に、
前記情報読み取り部によって前記取り忘れカードのカード情報を読み取り、
前記カード情報に基づいて保護用チェックコードを生成し、
前記取り忘れカードに関するカード情報を記憶しない一方で、前記特定のスロットに対応するスロット番号と前記保護用チェックコードとの対応関係に関する情報を対応関係管理部に記憶し、
ホストから前記カード回収装置に収容されている前記取り忘れカードの返却指示があった際に、
前記取り忘れカードが収納されている前記カード回収装置のスロット番号を前記対応関係管理部に記憶されている前記対応関係に関する情報から取得し、
取得した前記スロット番号に該当する前記特定のスロットに収容されている前記取り忘れカードを前記カード読み取り装置へ戻すように前記カード回収装置に対して指示し、
前記情報読み取り部によって、前記カード回収装置から前記カード読み取り装置へ戻された前記取り忘れカードのカード情報を読み取り、
読み取られた前記取り忘れカードのカード情報に基づいて確認用チェックコードを生成し、
前記確認用チェックコードが前記保護用チェックコードと一致するか否かをチェックし、
前記確認用チェックコードが前記保護用チェックコードと一致すると判定された場合、前記搬送部によって前記特定のスロットに収容済みの前記収容済みカードを搬送させて前記挿入排出部から排出させ、
前記対応関係管理部は、前記カード回収装置に設けられている
ことを特徴とするカード読み取り装置。
【請求項５】
前記対応関係管理部は、
前記取り忘れカードに関するカード情報を管理する代わりに、前記スロット番号と前記保護用チェックコードとの対応関係に関する情報を管理していることを特徴とする請求項４に記載のカード読み取り装置。
【請求項６】
前記情報読み取り部は、前記カードの磁気ストライプとの間で少なくとも情報の読み取りを行う磁気ヘッドであり、
前記制御部は、
前記カード回収装置に前記取り忘れカードを収容する際に、前記磁気ヘッドによって前記取り忘れカードの磁気ストライプからカード情報の一部としてカード番号を読み取り、前記カード番号に基づいてチェックコードを生成する
ことを特徴とする請求項４に記載のカード読み取り装置。
【発明の詳細な説明】
【技術分野】
【０００１】
本発明は、カード処理装置及びカード読み取り装置に関し、特に、カード回収装置を備えるカード処理装置及びカード読み取り装置に適用して好適なものである。
【背景技術】
【０００２】
従来のカード読み取り装置は、モータによって駆動されるローラによって磁気カードを一定速度で搬送し、磁気ヘッドの近傍を通過させることにより磁気ヘッドによって磁気カードに記録済みの情報を読み取ったり、ＩＣ接点端子を通して通信することによりＩＣカードに記録済みの情報を読み取っている。
【０００３】
カード回収機構は、カード取り引きが終了し、返却されたカードを取引者が取り忘れた場合にそのカードを回収することができる。このカード回収機構は、複数のカードスロットを備え、複数のカードを回収することができる。その後取引者がカードの取り忘れに気付いた場合、自分のカードを返却してもらうことができる（特許文献１参照）。
【０００４】
返却されるカードが正しいことを確認するため、カード処理装置が、返却されるカードの読み取り結果をホストに通知し、ホストが、返却されるべきカードがその取引者に対応していることを確認している。
【先行技術文献】
【特許文献】
【０００５】
【特許文献１】中国出願公開１０３５４４７６８Ａ号公報
【特許文献２】中国出願公開１０３５４４７６９Ａ号公報
【特許文献３】中国出願公開１０３５５９７５５Ａ号公報
【発明の概要】
【発明が解決しようとする課題】
【０００６】
従来、カード処理装置内にはカード情報などの個人情報を残すことができなかったため、カード回収機構によって回収されたカードを取引者に返却しようとした場合、カードが誤って排出されることを防止するために、カード処理装置で返却対象のカードのカード情報を読み取り、ホストが、その返却対象のカードと取引者との対応が正しいことを確認する必要があった。
【０００７】
本発明は以上の点を考慮してなされたもので、カード処理装置内にカード情報を残さないようにしつつ、ホストが、その返却対象のカードと取引者との対応が正しいことを確認する必要がなく、カードが誤った相手に返却されることを防止できるカード処理装置を提案しようとするものである。
【課題を解決するための手段】
【０００８】
かかる課題を解決するため、本発明においては、カードが挿入されたり排出される挿入排出部と、前記挿入排出部から挿入されたカードを搬送する搬送部と、前記搬送部によって搬送されたカードに記憶済みの情報を読み取る情報読み取り部と、前記搬送部及び前記情報読み取り部を制御する一方、前記情報読み取り部によって情報の読み取りが完了したカードを前記搬送部によって搬送して前記挿入排出部から一部を露出させ、前記露出されたカードが所定時間経過後も持ち去られていないことが検出された場合、前記搬送部によって前記持ち去られなかった取り忘れカードを内部に搬送して再度取り込みを行わせる制御部と、を備えるカード読み取り装置と、複数のカードを各々収容可能な複数のスロットを有し、前記取り忘れカードを前記複数のスロットのうちのいずれか特定のスロットに収容可能なカード回収装置と、を備え、前記制御部は、前記カード回収装置に前記取り忘れカードを収容する際に、前記情報読み取り部によって前記取り忘れカードのカード情報を読み取り、前記カード情報に基づいて保護用チェックコードを生成するチェックコード生成部と、前記特定のスロットに対応するスロット番号と前記保護用チェックコードとの対応関係に関する情報を保管する対応関係管理部と、前記情報読み取り部によって前記カード回収装置に収容済みであって返却要請があったカードから読み取らせたカード情報から生成された確認用チェックコードが前記保護用チェックコードと一致するか否かをチェックする認証部と、を備え、前記認証部によって前記確認用チェックコードが前記保護用チェックコードと一致すると判定された場合、前記搬送部によって前記特定のスロットに収容済みの前記取り忘れカードを搬送させて前記挿入排出部から排出させることを特徴とする。
【０００９】
また、本発明においては、複数のカードを各々収容可能な複数のスロットを有し、取り忘れカードを前記複数のスロットのうちのいずれか特定のスロットに収容可能なカード回収装置との組み合わせによりカード処理装置を構成するカード読み取り装置において、カードが挿入されたり排出される挿入排出部と、前記挿入排出部から挿入されたカードを搬送する搬送部と、前記搬送部によって搬送されたカードに記憶済みの情報を読み取る情報読み取り部と、前記搬送部及び前記情報読み取り部を制御する一方、前記情報読み取り部によって情報の読み取りが完了したカードを前記搬送部によって搬送して前記挿入排出部から一部を露出させ、前記露出されたカードが所定時間経過後も持ち去られていないことが検出された場合、前記搬送部によって前記持ち去られなかった取り忘れカードを内部に搬送して再度取り込みを行わせる制御部と、を備え、前記制御部は、前記カード回収装置に前記取り忘れカードを収容する際に、前記情報読み取り部によって前記取り忘れカードのカード情報を読み取り、前記カード情報に基づいて保護用チェックコードを生成するチェックコード生成部と、前記特定のスロットに対応するスロット番号と前記保護用チェックコードとの対応関係に関する情報を保管する対応関係管理部と、前記情報読み取り部によって前記カード回収装置に収容済みであって返却要請があったカードから読み取らせたカード情報から生成された確認用チェックコードが前記保護用チェックコードと一致するか否かをチェックする認証部と、を備え、前記認証部によって前記確認用チェックコードが前記保護用チェックコードと一致すると判定された場合、前記搬送部によって前記特定のスロットに収容済みの前記取り忘れカードを搬送させて前記挿入排出部から排出させることを特徴とする。
【発明の効果】
【００１０】
本発明によれば、カード処理装置内にカード情報を残さないようにしつつ、ホストが、その返却対象のカードと取引者との対応が正しいことを確認する必要がなく、取引後に取引者が取り忘れたカードが誤った相手に返却されることを防止することができる。
【図面の簡単な説明】
【００１１】
【図１】第１の実施の形態によるカード処理装置の概略構成例を示すブロック図である。
【図２】図１に示すカード処理装置等の電気的な構成例を示すブロック図である。
【図３】取り忘れカード回収処理の一例を示すフローチャートである。
【図４】カード返却判定処理の一例を示すフローチャートである。
【図５】カード返却処理の一例を示す図である。
【図６】第２の実施の形態によるカード処理装置の概略構成例を示すブロック図である。
【発明を実施するための形態】
【００１２】
以下、図面を参照しつつ、本発明の一実施の形態について詳述する。
【００１３】
（１）第１の実施の形態によるカード処理装置の構成
図１は、第１の実施の形態によるカード処理装置１００の概略構成例を示す。このカード処理装置１００は、主としてカード読み取り装置１及びカード回収装置９を備える。カード処理装置１００は、例えば自動現金取引処理装置である。
【００１４】
（１−１）カード読み取り装置
カード読み取り装置１は、例えば自動現金取引処理装置の一部であり、後述するホストと電気的に接続されている。カード読み取り装置１は、カード２の磁気ストライプに記録された情報を読み取り、その読み取った情報を後述するホストに送信する。
【００１５】
カード読み取り装置１は、その外観上、筺体と、この筺体の端部に設けられた挿入排出部３とを有する。挿入排出部３は、取引者などのエンドユーザによってカード２が挿入されたり、後述するように排出されたカード２が取り去られる部分である。
【００１６】
筐体の内部には、第１の搬送ローラ５Ａ〜第３の搬送ローラ５Ｃと、第１ないし第３のカード位置センサ６Ａ〜６Ｃと、カード２の磁気ストライプとの間で少なくとも情報の読み取りを行う磁気ヘッド７とが設けられている。
【００１７】
第１の搬送ローラ５Ａ及び第３の搬送ローラ５Ｃは、それぞれ、搬送路Ｐを挟んで上下一対となるように設けられており、モータの正転駆動によって回転してカード２を挿入方向（図示右向き）に搬送する一方、モータの逆転駆動によって回転してカード２を排出方向（図示左向き）に搬送する。
【００１８】
第２の搬送ローラ５Ｂは、後述する磁気ヘッド７と上下一対となるように設けられており、モータの駆動によって回転して、磁気ヘッド７の先端近傍をカード２の表面が通過するようにカード２を上記挿入方向及び排出方向に搬送する。
【００１９】
第１〜第３のカード位置センサ６Ａ〜６Ｃは、例えばフォトインタラプタであり、搬送路Ｐに沿って搬送されるカード２の位置を検出する。
【００２０】
第１のカード位置センサ６Ａは、カード２のカード情報の読み取りを行う前にカード２を待機させておく位置Ｐ１に配置されている。第１のカード位置センサ６Ａは、カード２が搬送されてその一端が当該位置Ｐ１に到達すると、当該カード２の図示左側の一端（以下「後端部」と呼ぶ）が到達したことを検知してＯＦＦ状態からＯＮ状態に切り替わる。
【００２１】
第２カード位置センサ６Ｂは、磁気ヘッド７によってカード２のカード情報の読み取りを開始するための位置Ｐ２に配置されている。第２カード位置センサ６Ｂは、カード２が搬送されてその一端が位置Ｐ２に到達すると、当該カード２の一端を検知してＯＦＦ状態からＯＮ状態に切り替わる。
【００２２】
第３カード位置センサ６Ｃは、ＩＣ接点部８によってカード２のカード情報の読み取りを行うため、かつ、磁気ヘッド７によるカード２のカード情報の読み取りを終了するための位置Ｐ３に配置されている。第３カード位置センサ６Ｃは、カード２の一端が挿入方向へ搬送されて位置Ｐ３に到達すると、当該カード２の一端を検知してＯＦＦ状態からＯＮ状態に切り替わる。
【００２３】
磁気ヘッド７は、搬送されるカード２と対面する一方の位置に配置されており、カード２の磁気ストライプから磁気パターンを検出してカード情報の一部としてカード番号を取得する。より詳しくは、磁気ヘッド７は、内蔵するコアとコイルによって磁気ストライプの磁力の変化を検出してそれを電圧の変化に変え、その電圧の変化を内蔵するアンプによって増幅し出力する。
【００２４】
ＩＣ接点部８は、搬送されるカード２と対面する他方の位置に配置されており、カード２に設けられた電極からカード情報を読み出す。なお、磁気ヘッド７及びＩＣ接点部８は、上述のような位置に配置されている場合に限られず、カード２の磁気ストライプやコンタクトの形成位置に応じてその他の位置に配置されていても良い。
【００２５】
これら磁気ヘッド７及びＩＣ接点部８の位置との関係上、挿入方向へ搬送されているカード２に対してカード情報の読み取りを行う際には、位置Ｐ２は、挿入方向に搬送されているカード２のカード情報を磁気ヘッド７によって読み取りを開始する読み取り開始位置となる。一方、位置Ｐ３は、磁気ヘッド７によって時期的にカード情報の読み取りを終了する読み取り終了位置となったり、ＩＣ接点部８によって電子的にカード情報の読み取りを行う位置となる。
【００２６】
その一方、排出方向へ搬送されているカード２に対してカード情報の読み取りを行う際には、位置Ｐ３は、カード２の先端（図示の右端）が通過すると、磁気ヘッド７によってカード２からカード情報の読み取りを開始するための位置となる。一方、位置Ｐ２は、カードの先端（図示の右端）が通過すると、磁気ヘッド７によるカード２のカード情報の読み取りを終了するための位置となったり、ＩＣ接点部８によるカード２のカード情報の読み取りを行うための位置となる。
【００２７】
（１−２）カード回収装置
カード回収装置９は、取引後取引者によってカード２の持ち去りがなされなかった際に、その取り忘れカード２を回収して収容する各スロット１０が平行に重ねて設けられたスロット部１２を備えている。このスロット部１２は、モータ１１が駆動されることにより、スロット部１２が一体となって挿入方向及び排出方向に対して垂直な方向に移動されることによって、上記取り忘れカード２の位置に合わせて各スロット１０が移動して当該取り忘れカード２を収容する。
【００２８】
（２）カード処理装置の電気的な構成
図２は、主としてカード処理装置１００の電気的な構成例を示すブロック図である。カード処理装置１００は、ホスト６０との通信を行いつつ、コンピュータ４０によって、後述するようにカード２のカード情報に基づき、当該カード２のエンドユーザ（取引者）に関して金銭の支払いや預け入れなどを処理する。
【００２９】
即ち、カード処理装置１００は、コンピュータ４０によって、このように金銭の支払いや預け入れなどを処理するための金銭授受装置（図示せず）を備えている。本実施形態においては、このような金銭授受装置に大きな特徴がある訳ではないため、その説明を省略する。
【００３０】
カード処理装置１００においては、カード読み取り装置１は電源５０によって電力が供給されている一方、カード回収装置９は電源７０によって電力が供給されている。カード読み取り装置１は、ホスト６０からの指示に基づくコンピュータ４０の制御に従って、制御部３０が動作の制御を行っている。この制御部３０は、ＩＣカード制御部２３、ＣＰＵ２１、ＲＡＭ２２、磁気読取制御部２４、フラッシュメモリ２５、及びモータ制御部２６を備えている。
【００３１】
ＲＡＭ２２は、ＣＰＵ２１の作業領域となる記憶領域を提供する。ＩＣカード制御部２３は、既述のＩＣ接点部８によるカード２との間における情報の記録及び読み出しを制御する。磁気読取制御部２４は、磁気ヘッド７によるカード２の磁気ストライプとの間における磁気情報の読み取り及び書き込みを制御する。フラッシュメモリ２５は、後述する取り忘れカード２の収容先スロット１０に関する情報（以下「カード収容情報」と呼ぶ）が書き込まれ、このように書き込まれたカード収容情報を不揮発的に記憶している。モータ制御部２６は、モータ４に起動信号を与え、第１〜第３の搬送ローラ５Ａ，５Ｂ，５Ｃの駆動状態を制御する。
【００３２】
カード処理装置１００は以上のような構成であり、次にそのカード処理装置１００の動作例について説明する。
【００３３】
（３）カード処理装置の動作例
（３−１）取り忘れカード回収処理
図３は、取り忘れカード回収処理の一例を示すフローチャートである。カード読み取り装置１は、取引が完了したカード２を挿入排出口３から一部を露出させ、その取引者にそのカード２を持ち去らせようとするが、一定時間が経過しても取り去られないカード２は、ＣＰＵ２１の制御によってモータ４が駆動されることで第１の搬送ローラ５Ａ〜第３の搬送ローラ５Ｃによってカード回収装置９にまで再度搬送され、最終的に回収される（ステップＳ１）。
【００３４】
この際、その途中で、磁気ヘッド７は、ＣＰＵ２１の制御によって当該取り忘れカード２の磁気ストライプからカード情報の一部であるカード番号を読み取る（ステップＳ２）。このＣＰＵ２１は、このように読み取ったカード番号からチェックコード（以下「保護用チェックコード」とも呼ぶ）を生成する（ステップＳ３）。ＣＰＵ２１は、上記取り忘れカード２を最終的に収容する予定のスロット１０のスロット番号及び上記生成した保護用チェックコードに関する情報をホスト６０に送信する。
【００３５】
ホスト６０は、これらスロット番号及び保護用チェックコードに関する情報を受け取ると、念のため、図示しない内蔵メモリに、これらスロット番号及び保護用チェックコードに関する情報を記憶させる（ステップＳ４）。
【００３６】
一方、カード読み取り装置１においては、ＣＰＵ２１が、そのようなスロット番号及び保護用チェックコードに関する情報をフラッシュメモリ２５に記憶する（ステップＳ５）。即ち、カード読み取り装置１は、そのようなスロット番号及び保護用チェックコードに関する情報について、ホスト６０に問い合わせなくても、手元に情報を保有している一方、カード番号等のカード情報を保有しないようにすることができる。
【００３７】
その後、コンピュータ４０は、カード読み取り装置１のＣＰＵ２１を制御してカード回収装置９のモータ１１を駆動することによりカード回収装置９のスロット１０を上下させ、上述した取り忘れカード２を、その予定していたスロット番号のスロット１０に収容させる（ステップＳ６）。
【００３８】
（３−２）カード返却判定処理
図４は、カード返却判定処理の一例を示しており、図５は、カード返却指示があった場合における手順の一例を視覚的に表している。
【００３９】
まず、取引者であるエンドユーザは、取引後に取り忘れてしまったカード（以下「取り忘れカード」という）の返却を受けたい場合、ホスト６０に対して返却依頼を行う。ホスト６０は、そのエンドユーザによる返却依頼（図５の手順（１）に相当）を受領すると（ステップＳ１１）、返却希望のカードのカード番号をチェックし（図５（４）に相当）、その後、カード読み取り装置１に対して、そのカード番号に関するカード返却指示（図５（２）に相当）を行う。なお、このカード返却指示には、そのカード番号が含められている。
【００４０】
次にカード読み取り装置１は、そのカード返却指示を受領したことを契機として、内蔵するフラッシュメモリ２５のカード収容情報に基づいて、このカード収容情報に含まれるカード番号に対応するスロット番号を検索する（ステップＳ１２）。
【００４１】
カード読み取り装置１は、コンピュータ４０を介して、カード回収装置９に対して、そのように検索されたスロット番号に該当する特定のスロット１０に収容されている返却対象カード２について返却指示を行う（ステップＳ１３）。このカード回収装置９では、当該特定のスロット１０に収容されている返却対象カード２をカード読み取り装置１に戻し、カード読み取り装置１では、磁気ヘッド７が返却対象カード２の磁気ストライプからカード情報としてカード番号を読み取る（ステップＳ１４）。このステップＳ１４は、図５の手順（３）に相当している。
【００４２】
次に、カード読み取り装置１では、ＣＰＵ２１が、そのカード情報に含まれるカード番号をチェックし（図５の手順（４）に相当）、そのカード番号からチェックコードを生成し（ステップＳ１５）、今回生成したチェックコードが、内蔵するフラッシュメモリ２５において管理されている上記スロット番号に対する保護用チェックコードに一致するか否かを判定する（ステップＳ１６）。
【００４３】
カード読み取り装置１では、ＣＰＵ２１によって両チェックコードが一致していると判定された場合、コンピュータ４０に対してその旨を通知し、コンピュータ４０によって、カード読み取り装置１に対してその対象カード２をエンドユーザに返却するよう指示する。
【００４４】
カード読み取り装置１においては、対象カード２をエンドユーザに返却するよう指示を受けたＣＰＵ２１は、モータ制御部２６によってモータ４を駆動することにより、第１の搬送ローラ５Ａ〜第３の搬送ローラ５Ｃを回転させ、上記スロット１０から戻された対象カード２を排出方向に搬送する。
【００４５】
さらにＣＰＵ２１は、モータ制御部２６を制御し、モータ４を駆動することによって第１の搬送ローラ５Ａ〜第３の搬送ローラ５Ｃを回転させることにより、その対象カード２をその一部が挿入排出部３から外部に露出する位置において停止させ、エンドユーザに対象カード２を返却する（ステップＳ１７）。ステップＳ１７は、図５の手順（５）に相当している。このエンドユーザは、そのように挿入排出部３から一部が露出している対象カード２を引き抜き、持ち去ることができる。
【００４６】
一方、カード読み取り装置１では、ＣＰＵ２１によって両チェックコードが一致していないと判定された場合、コンピュータ４０に対してその旨を通知し、コンピュータ４０によって、カード読み取り装置１に対してその対象カード２をカード回収装置９の上記スロット番号のスロット１０に戻すよう指示する。なお、カード読み取り装置１は、ＣＰＵ２１によって両チェックコードが一致していないと判定された場合にも拘わらず、その対象カード２が返却されてしまっていたときには誤排出したものとみなす。
【００４７】
以上のように本実施の形態によれば、上述のようにカード処理装置１００内にカード情報を残さないようにしつつ、ホスト６０を介することなくカード処理装置１内で、カード回収装置９から返却されたカード２について返却先エンドユーザの妥当性を確認し、カード２が誤った相手に返却されることを防止することができる。
【００４８】
（４）第２実施の形態
第２の実施の形態によるカード処理装置１００Ａは、第１の実施の形態によるカード処理装置１００とほぼ同様の構成であるため、同一の構成及び動作については同一の符号を用いて説明を省略し、以下では異なる点を中心として説明する。
【００４９】
図６は、第２の実施の形態によるカード処理装置１００Ａの構成例を示すブロック図である。第２の実施の形態によるカード処理装置１００Ａは、第１の実施の形態によるカード回収装置９の代わりに、カード回収装置９Ａを備えている。このカード回収装置９Ａは、第１の実施の形態によるカード回収装置９の構成に加えて、フラッシュメモリ９３を備えている点が異なっている。
【００５０】
第１の実施の形態では、ステップＳ５において、カード読み取り装置１においてＣＰＵ２１が、これらスロット番号及びチェックコードに関する情報をフラッシュメモリ２５に記憶していたが、第２の実施の形態では、このフラッシュメモリ２５の代わりに、これらの情報をカード回収装置９Ａ側のフラッシュメモリ９３に記憶させている。
【００５１】
このようにすると、カード回収装置９Ａと、フラッシュメモリ９３（対応関係管理部）とが一体となっているため、カード読み取り装置からカード回収部を取り外した場合でも、カード回収装置９Ａの各スロット１０に収容済みの各取り忘れカード２と各スロット番号との対応関係をそのまま維持することができる。
【００５２】
（５）その他の実施形態
上記実施形態は、本発明を説明するための例示であり、本発明をこれらの実施形態にのみ限定する趣旨ではない。本発明は、その趣旨を逸脱しない限り、様々な形態で実施することができる。例えば、上記実施形態では、各種プログラムの処理をシーケンシャルに説明したが、特にこれにこだわるものではない。従って、処理結果に矛盾が生じない限り、処理の順序を入れ替え又は並行動作するように構成しても良い。
【産業上の利用可能性】
【００５３】
本発明は、取り忘れカードを返却可能なカード処理装置及びカード読み取り装置に広く適用することができる。
【符号の説明】
【００５４】
１……カード読み取り装置、２……カード、３……挿入排出部、７……磁気ヘッド、８……ＩＣ接点部、９……カード回収装置、１０……スロット、１２……スロット部、１００……カード処理装置。
【図１】
0006626346.tif 000002
【図２】
0006626346.tif 000003
【図３】
0006626346.tif 000004
【図４】
0006626346.tif 000005
【図５】
0006626346.tif 000006
【図６】
0006626346.tif 000007